(57)【要約】【課題】立体配列ゲーム機器において、ゲームが進行するにつれて盤面上の駒の視認性が悪くなる。【解決手段】本発明においては底板２１に対し垂直方向の長さと水平方向の幅が異なる駒３０を柱２２を利用して積み重ねるようにしたため、積み重ねた状態で隣接する駒同士の間に空間が残り、上記駒３０の視認性が良い立体配列ゲーム機器１０を提供することができる。【選択図】  図２
2005319021.tif 000002
【特許請求の範囲】
【請求項１】
略矩形状の底板上に上方へ垂直に延び上記底板上の縦横方向に同数で等間隔に配設された複数の柱を有する盤面と、上記底板に対し垂直方向の長さと水平方向の幅が異なるとともに上記柱の上方から挿入し中央に上記柱の径より大きく貫通した孔を有する駒とを具備することを特徴とする立体配列ゲーム機器。
【請求項２】
上記駒は、上記駒本体中央に貫通した孔の周縁より突出したスぺーサーを有することを特徴とする請求項１に記載の立体配列ゲーム機器。
【請求項３】
上記スペーサーは、略筒状として形成されていることを特徴とする請求項１に記載の立体配列ゲーム機器。
【請求項４】
上記スペーサーは、上記駒本体中央に貫通した孔の両端に備えられたことを特徴とする、請求項２に記載の立体配列ゲーム機器。
【請求項５】
上記スペーサーは、先端に向かうほど口径が拡大されていることを特徴とする請求項４に記載の立体配列ゲーム機器。
【請求項６】
上記柱は、底板との接合部から所定長さ上方に延びて所定の厚みで柱を覆って上記駒を保持する駒止め部を有することを特徴とすることを特徴とする請求項１から請求項５のいずれかに記載の立体配列ゲーム機器。
【請求項７】
上記柱は、異なる色によって上記駒止め部から上方に、上記駒の垂直方向の長さと同じ長さごとに配色されていることを特徴とする請求項６に記載の立体配列ゲーム機器。
【請求項８】
上記駒は、同数の少なくとも２種類の異なった色であることを特徴とする請求項１から請求項７のいずれかに記載の立体配列ゲーム機器。
【請求項９】
上記駒は、同数の少なくとも２種類の異なった形状であることを特徴とする請求項１から請求項８のいずれかに記載の立体配列ゲーム機器。
【請求項１０】
上記底板は、４本の柱で囲まれた最小の略正方形の上記底板部分に上記駒よりも大きく上記柱に接しない大きさに開口している孔を有することを特徴とする請求項９に記載の立体配列ゲーム機器。
【発明の詳細な説明】
【技術分野】
【０００１】
本発明は、立体配列ゲーム機器に関し、特に、視認性の良い立体配列ゲーム機器に関する。
【背景技術】
【０００２】
従来、この種の駒を盤面上に積み上げていく立体配列ゲームとして、図１７に示す立体４目並べゲームが知られている。
同図において、上記立体配列ゲーム機器１は、略矩形状の底板２上の縦横方向に４本ずつ等間隔に並び底板２に対し上方に垂直に立設した１６本の柱３を有した盤面５と、略球状で中央に上記柱の径よりも大きな穴６が貫通している異なる二色の駒４とから構成されている。
上記構成において、上記駒４は上記柱３の上方から挿入でき上記底板２に接した位置から上方に積み上げていく。
【発明の開示】
【発明が解決しようとする課題】
【０００３】
上述した従来の立体配列ゲームでは次のような課題があった。
すなわち、駒を柱の上方から挿入し積み上げていく際に、同一の柱に積み上げられる駒同士が密接する。そのため、駒が積み上げられた柱の奥側に位置する柱が見づらい。
本発明は、上記課題を解決するためのものであり、駒の視認性が良い立体配列ゲーム機器を提供することを目的とする。
【課題を解決するための手段】
【０００４】
上記問題を解決する為に上記請求項１にかかる発明は、略矩形状の底板上に上方へ垂直に延び上記底板上の縦横方向に同数で等間隔に配設された複数の柱を有する盤面と、上記底板に対し垂直方向の長さと水平方向の幅が異なるとともに上記柱の上方から挿入し中央に上記柱の径より大きく貫通した孔を有する駒とからなる構成としてある。
上記のように構成した請求項１にかかる発明においては、上記駒に備えられた孔の径が上記柱の径よりも大きく、当該駒を上記柱の上方から挿入可能である。上記駒は上記底板に対し垂直方向の長さと水平方向の幅が異なるため、上記駒を上記盤面上に積み上げていく際、周辺の駒同士の間に隙間を形成することができる。例えば、上記駒の垂直方向の長さの方が長く、その両端で上記駒の最大径よりも小さい径であると、同一の柱に配置された上下の駒間に隙間が形成され上記駒の密接感を軽減する。
【０００５】
請求項２にかかる発明は、上記請求項１に記載の上記駒は、上記駒本体中央に貫通した孔の周縁より突出したスぺーサーを有する構成としている。
上記のように構成した請求項２の発明においては、上記駒が上記スペーサーを有することにより上記底板に対し垂直方向の長さと水平方向の幅が異なる形状となる。上記駒を上記柱に挿入していくと、駒本体と駒本体との間にスペーサーがはさまれ、空間を残すことになる。
【０００６】
請求項３にかかる発明は、上記請求項１に記載の上記スペーサーは、略筒状として形成した構成としている。
上記のように構成した請求項３の発明においては、駒本体同士の間に筒状のスペーサーが介在し、空間を残す。
【０００７】
請求項４にかかる発明は、上記請求項２に記載の上記スペーサーは、上記駒本体中央に貫通した孔の両端に備えた構成としている。
上記のように構成した請求項４の発明においては、上記駒を積み重ねていくと、上記駒本体同士の間にそれぞれの駒が有する上記スペーサー同士が当接し合い空間を残す。
【０００８】
請求項５にかかる発明は、上記請求項４に記載の上記スペーサーは、先端に向かうほど口径が拡大した構成としている。
上記のように構成した請求項５の発明においては、上記スペーサーの口径が先端側へ向かうほど拡大するため、上記先端側で広い径となり上記柱への挿入性が良くなる。
【０００９】
請求項６にかかる発明は、上記請求項１から請求項５のいずれかに記載の上記柱は、底板との接合部から所定長さ上方に延びて所定の厚みで柱を覆って上記駒を保持する駒止め部を有する構成としている。
上記のように構成した請求項６の発明においては、上記柱を含む上記駒止め部の径は上記駒に貫通した孔の口径および上記スペーサーの口径よりも径が大きくなるように上記厚みを形成する。すると、上記厚みにより上記柱上方から挿入された駒は上記駒止め部上方端に突き当たる。上記駒止め部は底板よりも上方に所定長さ延びており、上記駒止め部により上記底板と上記駒間に隙間が形成される。
【００１０】
請求項７にかかる発明は、上記請求項６に記載の上記柱は、異なる色によって上記駒止め部から上方に、上記駒の垂直方向の長さと同じ長さごとに配色した構成としている。
上記のように構成した請求項７の発明においては、上記柱における上記駒が挿入された位置の色は上記駒により覆い隠され見えなくなり、逆に配色が見える部分は駒を挿入可能な部分であり、色分けしていることで挿入可能な駒の数を判別できる。
【００１１】
請求項８にかかる発明は、上記請求項１から請求項７のいずれかに記載の上記駒は、同数の少なくとも２種類の異なった色で構成としている。
上記のように構成した請求項８の発明においては、同数の異なる色に配色することで盤面上に配置した各人の駒の配置等を把握しやすくなる。
【００１２】
請求項９にかかる発明は、上記請求項１から請求項８のいずれかに記載の上記駒は、同数の少なくとも２種類の異なった形状で構成している。
上記のように構成した請求項９の発明においては、同数の異なる形状にすることでも上記請求項８と同様の作用となる。
【００１３】
請求項１０にかかる発明は、上記請求項９に記載の上記底板は、４本の柱で囲まれた最小の略正方形の上記底板部分に上記駒よりも大きく上記柱に接しない大きさに開口している孔を有する構成としている。
上記のように構成した請求項１０の発明においては、上記駒を上記柱に挿入しようとしたときに誤って底板上に落ちてしまっても、底板を傾ける等して当該駒を上記底板上に開口した孔上に誘導すれば上記孔を通り抜け盤外に取り出せる。
【発明の効果】
【００１４】
以上説明したように、請求項１にかかる発明は、視認性の良い立体配列ゲーム機器を提供できる。
請求項２及び請求項３にかかる発明は、駒本体に備えられたスペーサーにより同一の柱に挿入された駒本体間に隙間が形成され視認性が良くなる効果がある。
請求項４にかかる発明は、駒の両端にスペーサーが備えられることで上下方向の区別無く上記駒を柱に挿入可能である。
請求項５にかかる発明では、突出部先端で口径が拡大しているスペーサーを有した駒は柱への挿入性がよく、また、同一の柱へ挿入時された駒は駒同士または底板とスペーサーの拡大した径で接し安定感が得られる。
請求項６にかかる発明では、駒止め部により底板と駒の間に隙間が形成され、駒の視認性が良くなる。さらに、駒が底板上に落下しても上記隙間により回収が大変容易となる。
請求項７にかかる発明は、柱の色分けで駒の配置状況を一目で認識できる効果がある。
請求項８及び請求項９にかかる発明は、色や形による区別で持ち駒を一目で認識できる効果がある。
請求項１０にかかる発明は、駒が落下しても底板に開口した孔により底板下方からの回収が可能となる。
【発明を実施するための最良の形態】
【００１５】
ここでは、下記の順序に従って本発明の実施の形態について説明する。
（１）第一実施形態：
（２）まとめ：
（１）第一実施形態：
【００１６】
図１は第一実施形態にかかる立体配列ゲーム機器の概略斜視図である。
同図において立体配列ゲーム機器１０は、概略、略矩形状の底板２１と複数の柱２２から成る盤面２０と、所定数の駒３０とから構成されている。この略矩形状の底板２１上には上方に垂直に延びた複数の柱２２が底板２１上の縦横方向に同数で等間隔に配設されている。上記柱２２は上記駒３０の垂直方向の長さごとに二色で交互に配色しており、底板２１側には駒止め部２３を備えている。そして、上記柱２２の上方から中央に上記柱の径より大きく貫通した孔３０ｃを有する駒３０を挿入して上記盤面２０上に上記駒３０を積み上げて行く。
【００１７】
上記駒３０は略球形であり、上記駒本体３０ａの中心部を通り貫通した孔の一方の開口部３０ｃ周縁から突出した略筒状のスペーサー３０ｂを有している。また、上記上記駒３０は底板２１に対し水平方向よりも垂直方向の長さが突出したスペーサー３０ｂ分長い形状となっている。
上記駒３０を上記柱２２に積み上げて行くと、同一の柱２２に挿入された駒本体３０ａ間および上記駒３０の周辺には図２に示す隙間Ａが形成される。上記隙間Ａが全ての駒３０周辺に形成されることにより従来の立体配列ゲームでの駒の密接が改善される。従って、盤面２０上の視認性が大変良くなり、盤面２０上の駒３０の配置状態が大変分かりやすくなる。
【００１８】
以下に上記駒３０の変形例を説明する。なお以下に示す駒３０の長さは全て略一致している。
まず、図３に示す駒３１は、略球形状の駒本体３１ａと、上記駒本体３１ａの中心部を通り貫通した孔の一方の開口部３１ｃ周縁から突出した上記駒本体３１ａの直径よりも長い長さの略筒状のスペーサー３１ｂを備えている。
次に、図４に示す駒３２は、略球形状の駒本体３２ａと、上記駒本体３２ａの中心部を通り貫通した孔の両端の開口部３２ｃ周縁から突出した上記スペーサー３１ｂの１／２の長さの略筒状のスペーサー３２ｂを備えている。
次に、図５に示す駒３３は、略球形状の駒本体３３ａと、上記駒本体３３ａの中心部を通り貫通した孔の一方の開口部３３ｃ周縁から突出した上記駒本体３３ａの直径よりも短い長さの略筒状のスペーサー３３ｂを備えている。
【００１９】
次に、図６に示す駒３４は、略球形状の駒本体３４ａと、上記駒本体３４ａの中心部を通り貫通した孔の両端の開口部３４ｃ周縁から突出した上記スペーサー３３ｂの１／２の長さの略筒状のスペーサー３４ｂを備えている。
次に、図７に示す駒３５は、略円盤状の駒本体３５ａと、上記駒本体３５ａの中心部を通り貫通した孔の両端の開口部３５ｃ周縁から突出した上記駒本体３５ａの厚みよりも長い長さの略筒状のスペーサー３５ｂを備えている。
次に、図８に示す駒３６は、略円柱状の駒本体３６ａと、上記駒本体３６ａの中心部を通り貫通した孔の両端の開口部３６ｃ周縁から突出した上記駒本体３６ａの垂直方向の長さよりも短い長さの略筒状のスペーサー３６ｂを備えている。
次に、図９に示す駒３７は、上記底板２１に対し垂直方向の長さにおける中央の径が最大で上記駒３７の両先端に向かって径が小さくなる形状であり、上記駒本体３７ａの中心部を通り貫通した孔の両端に開口部３７ｃを備えている。
【００２０】
また、上記スペーサー３０ｂの変形も加えた変形形状として、図１０に示す駒３８は、略球形状の駒本体３８ａと、上記駒本体３８ａの中心部を通り貫通した孔の一方の開口部３８ｃ周縁から突出して先端に向かうほど口径が拡大されているスペーサー３８ｂを備えている。
図１１に示す駒３９は、略球形状の駒本体３９ａと、上記駒本体３９ａの中心部を通り貫通した孔の両端の開口部３９ｃ周縁から突出して先端に向かうほど口径が拡大されているスペーサー３９ｂを備えている。
ここで、上述した上記駒３０から上記駒３９のように、各駒は上記底板２１に対し垂直方向の長さと水平方向の幅が異なっていれば良くその形状は上記実施例の形状に限らず任意である。上述のように駒３０を構成すれば盤面２０上での視認性が良くなるため従来の立体配列ゲーム機器の課題を解消できる。
【００２１】
また、上記立体配列ゲーム機器１０では、上記盤面２０上に所定人数で上記駒３０を積み上げてゆくため全駒数を所定人数分均等に分ける必要がある。本実施形態では二人でゲームをする実施例として同数個ずつ二色に色分けしてある。上記色よる区別で各人の持ち駒を一目で認識できる効果がある。
上記区別は色だけではなく一目で認識可能な形状での区別でも良く、以下に上記駒３０の変形例としての駒４０と駒４１を説明する。
まず、駒４０の概略断面図を図１２に示す。上記駒４０は全て異方向に突起している突起部を複数有した略星形状の駒本体４０ａと、上記駒本体４０ａの中心部を通り貫通した孔の両端の開口部４０ｃ周縁から突出した略筒状のスペーサー４０ｂを備えている。
また、駒４１の概略断面図を図１３に示す。上記駒４１は上記底板２１に対し垂直方向の長さにおける中央に凹みのある略円柱状の駒本体４１ａと上記駒本体４１ａの中心部を通り貫通した孔の両端の開口部４１ｃ周縁から突出した略筒状のスペーサー４１ｂを備えている。
このように上記駒４０，４１は一目で認識可能な形状であり、また上記柱２２を中心に周囲３６０度いずれの角度から観察しても同じ形状であれば良く、その形状は上記実施例の形状に限らず任意である。これらの異形状の駒４０，４１の組み合わせはもちろんのこと、上述した変形例の異形状同士でも組み合わせは可能で、これらの組み合わせにより、各人の持ち駒の区別が明確になる。
【００２２】
また、図１において、上記底板２１上で上方に垂直に延びた複数の柱２２は、上記底板２１側に上記底板２１との接合部から上記駒３０の垂直方向の長さ分上方に延びて、所定の厚みで上記柱を覆った駒止め部２３を有している。
ここで、上記柱２２を含む上記駒止め部２３の径が上記駒３０に貫通した孔３０ｃの口径および上記スペーサー３０ｂの口径よりも径が大きくなるように上記厚みを形成する。すると、上記厚みにより上記柱上方から挿入された上記駒３０は上記スペーサー３０ｂ端が上記駒止め部２３上方端に突き当たる。この上記駒止め部２３により上記底板２１と上記駒３０間に図２に示す隙間Ｂが形成される。以上により、上記柱２２に上記駒３０を積み上げた状態の盤面２０上で上記駒３０が上記底板２１上に落下してしまっても、図１４に示すように上記盤面２０を傾け、落下した駒３０を上記底板２１上から滑り落とし容易に取り出すことが可能となる。
【００２３】
ここで、上記のように底板２１上に落下した駒３０が容易に取り出せる立体配列ゲーム機器１０の変形例を説明する。図１５は本変形例を適用した立体配列ゲーム機器１１０の底板１２１の部分斜視図である。同図において、底板１２１には４本の柱１２２ａ，１２２ｂ，１２２ｃ，１２２ｄで囲まれた最小の略正方形の部分に上記駒１３０よりも大きく形成されて、かつ上記柱１２２ａ，１２２ｂ，１２２ｃ，１２２ｄに接しない大きさに開口している落下駒取り出し孔１２１ａを有している。
図１６はこの底板１２１を示す上記盤面１２０の概略断面図である。上述の構成により、図１６のように上記駒１３０は上記落下駒取り出し孔１２１ａ上に位置したときに盤面１２０を上方に持ち上げれば、上記落下駒取り出し孔１２１ａを通り抜け上記底板１２１の下方に移動する。上記落下駒取り出し孔１２１ａの位置は、底板１２１上の４本の柱１２２ａ，１２２ｂ，１２２ｃ，１２２ｄで囲まれた最小の略正方形の部分であれば任意であり、上記底板１２１上の柱１２２、４本で囲まれた最小の略正方形部分全てに設けても良い。
（２）まとめ： 
【００２４】
以上説明したように、本発明においては底板２１に対し垂直方向の長さと水平方向の幅が異なる駒３０を柱２２を利用して積み重ねるようにしたため、積み重ねた状態で隣接する駒同士の間に空間が残り、上記駒３０の視認性が良い立体配列ゲーム機器１０を提供することができる。
【図面の簡単な説明】
【００２５】
【図１】第一実施形態にかかる立体配列ゲーム機器の概略斜視図である。
【図２】第一実施形態にかかる立体配列ゲーム機器の断面図である。
【図３】第一実施形態にかかる駒の変形例である。
【図４】第一実施形態にかかる駒の変形例である。
【図５】第一実施形態にかかる駒の変形例である。
【図６】第一実施形態にかかる駒の変形例である。
【図７】第一実施形態にかかる駒の変形例である。
【図８】第一実施形態にかかる駒の変形例である。
【図９】第一実施形態にかかる駒の変形例である。
【図１０】第一実施形態にかかる駒の変形例である。
【図１１】第一実施形態にかかる駒の変形例である。
【図１２】第一実施形態にかかる駒の変形例の断面図である。
【図１３】第一実施形態にかかる駒の変形例の断面図である。
【図１４】第一実施形態にかかる駒取り出し時の立体配列ゲーム機器の断面図である。
【図１５】第一実施形態における底板の変形例を示す部分斜視図である。
【図１６】第一実施形態における底板の変形例を示す盤面の概略断面図である。
【図１７】従来の立体配列ゲーム機器の概略斜視図である。
【符号の説明】
【００２６】
１…立体配列ゲーム機器
２…底板
３…柱
４…駒
５…盤面
６…穴
１０…立体配列ゲーム機器
２０…盤面
２１…底板
２２…柱
２３…駒止め部
３０…駒
３０ａ…駒本体
３０ｂ…スペーサー
３０ｃ…孔の開口部
【図１】
2005319021.tif 000003
【図２】
2005319021.tif 000004
【図３】
2005319021.tif 000005
【図４】
2005319021.tif 000006
【図５】
2005319021.tif 000007
【図６】
2005319021.tif 000008
【図７】
2005319021.tif 000009
【図８】
2005319021.tif 000010
【図９】
2005319021.tif 000011
【図１０】
2005319021.tif 000012
【図１１】
2005319021.tif 000013
【図１２】
2005319021.tif 000014
【図１３】
2005319021.tif 000015
【図１４】
2005319021.tif 000016
【図１５】
2005319021.tif 000017
【図１６】
2005319021.tif 000018
【図１７】
2005319021.tif 000019